(57)【要約】【課題】等化あるいは干渉補償のための制御信号である振幅情報，誤差情報を正しい次元にして正確な等化あるいは干渉補償を行うことができるＣＤＭＡ受信装置及びその方法を提供することを目的とする。【解決手段】拡散された信号を受信し、等化処理と逆拡散処理を行うＣＤＭＡ受信装置であって、前記等化処理の制御信号を、拡散された信号に基づいて求められた制御信号相当のものとする制御信号調整手段３２を有することにより、等化のための制御信号である振幅情報，誤差情報を正しい次元にして正確な等化を行うことができる。【選択図】　　　図８
2004040305.tif 000002
【特許請求の範囲】
【請求項１】
拡散された信号を受信し、等化処理と逆拡散処理を行うＣＤＭＡ受信装置であって、
前記等化処理の制御信号を、拡散された信号に基づいて求められた制御信号相当のものとする制御信号調整手段、
を有することを特徴とするＣＤＭＡ受信装置。
【請求項２】
拡散された信号を受信し、干渉補償処理と逆拡散処理を行うＣＤＭＡ受信装置であって、
前記干渉補償処理の制御信号を、拡散された信号に基づいて求められた制御信号相当のものとする制御信号調整手段、
を有することを特徴とするＣＤＭＡ受信装置。
【請求項３】
拡散された信号を受信し、逆拡散処理を行った後、等化処理を行うと共に、等化処理の制御信号として等化処理の出力の振幅情報、誤差情報を使用するＣＤＭＡ受信装置であって、
前記振幅情報と前記誤差情報をそれぞれ拡散する拡散手段、
を有することを特徴とするＣＤＭＡ受信装置。
【請求項４】
拡散された信号を受信し、逆拡散処理を行った後、干渉補償処理を行うと共に、干渉補償処理の制御信号として干渉補償処理の出力の振幅情報、誤差情報を使用するＣＤＭＡ受信装置であって、
前記振幅情報と前記誤差情報をそれぞれ拡散する拡散手段、
を有することを特徴とするＣＤＭＡ受信装置。
【請求項５】
拡散された信号を受信し、等化処理を行った後、逆拡散処理を行うと共に、等化処理の制御信号として逆拡散処理の出力の振幅情報、誤差情報を使用するＣＤＭＡ受信装置であって、
前記振幅情報と前記誤差情報をそれぞれ拡散する拡散手段、
を有することを特徴とするＣＤＭＡ受信装置。
【請求項６】
拡散された信号を受信し、干渉補償処理を行った後、逆拡散処理を行うと共に、干渉補償処理の制御信号として逆拡散処理の出力の振幅情報、誤差情報を使用するＣＤＭＡ受信装置であって、
前記振幅情報と前記誤差情報をそれぞれ拡散する拡散手段、
を有することを特徴とするＣＤＭＡ受信装置。
【請求項７】
拡散された信号を受信し、等化処理を行った後、逆拡散処理を行うと共に、等化処理の制御信号として等化処理の入力の振幅情報、逆拡散処理の出力の誤差情報を使用するＣＤＭＡ受信装置であって、
前記誤差情報を拡散する拡散手段、
を有することを特徴とするＣＤＭＡ受信装置。
【請求項８】
拡散された信号を受信し、干渉補償処理を行った後、逆拡散処理を行うと共に、干渉補償処理の制御信号として干渉補償処理の入力の振幅情報、逆拡散処理の出力の誤差情報を使用するＣＤＭＡ受信装置であって、
前記誤差情報を拡散する拡散手段、
を有することを特徴とするＣＤＭＡ受信装置。
【請求項９】
拡散された信号を受信し、信号処理と逆拡散処理を行うＣＤＭＡ受信装置であって、
前記信号処理の制御信号を、拡散された信号に基づいて求められた制御信号相当のものとする制御信号調整手段、
を有することを特徴とするＣＤＭＡ受信装置。
【請求項１０】
拡散された信号を受信し、信号処理と逆拡散処理を行うＣＤＭＡ受信方法であって、
前記信号処理の制御信号を、拡散された信号に基づいて求められた制御信号相当のものとする調整を行うこと
を特徴とするＣＤＭＡ受信方法。
【発明の詳細な説明】
【０００１】
【発明の属する技術分野】
本発明は、ＣＤＭＡ受信装置及びその方法に関し、ＣＤＭＡ通信で受信信号もしくは復号信号の等化を行うＣＤＭＡ受信装置及びその方法に関する。
【０００２】
【従来の技術】
ワイヤレスマルチメディア通信を実現する次世代の移動通信システムとして、ＤＳ−ＣＤＭＡ（Ｄｉｒｅｃｔ　Ｓｅｑｕｅｎｃｅ　Ｃｏｄｅ　Ｄｉｖｉｓｉｏｎ　Ｍｕｌｔｉｐｌｅ　Ａｃｃｅｓｓ：直接拡散符号分割多元接続）技術を用いたデジタルセルラー無線通信システムの開発が進められている。ＣＤＭＡ通信では、複数のチャンネルあるいはユーザの伝送情報は拡散符号により多重され、無線回線などの伝送路を通じて伝送される。
【０００３】
移動通信では、移動体の速度および搬送波の周波数によって決まる最大周波数をもった、ランダムな振幅及び位相の変化であるフェージングが起こり、これによって固定の無線通信に比較して、安定した受信が非常に難しい。
【０００４】
このような周波数選択性フェージングの影響による劣化を軽減するものとして、スペクトラム拡散通信が有効である。それは挟帯域の信号を広帯域に拡散して送信するため、ある固有の周波数帯域で受信電界強度の落ち込みが生じても、その他の帯域から情報を誤り少なく復元できるからである。
【０００５】
また、移動通信では、遠くの高層ビルや山などで反射された遅延波により、受信機周辺の環境によって上記と同様のフェージングが生じるとマルチパスフェージング環境となる。
【０００６】
直接拡散の場合、この遅延波は拡散符号に対して干渉波となるため、受信特性の劣化を招く。この遅延波を特性改善に積極的に用いる方法の一つとして、例えば特開２０００−４０９８１号公報等で提案されているようなＲＡＫＥ受信方式が知られている。これはマルチパスの各パスを介して到来する各遅延波毎に逆拡散を行ない、それぞれの遅延時間を揃え、受信レベルに応じて重み付けして加算することで合成するものである。このように、フェージング対策として、スペクトラム拡散とＲＡＫＥ受信の２つの技術が主に用いられている。
【０００７】
また、昨今の移動通信のトラフィック増加により、今まで以上の伝送容量が必要となり、変調方式の多値化の検討が進んでいる。例えば、現在は４ＰＳＫまでの変調波を使用しているが、今後１６ＱＡＭ以上の多値レベル変調が利用されることが考えられる。このような変調の多値化により、無線空間・機器の精度が今まで以上に要求される。
【０００８】
一方、従来、固定マイクロシステムやＣＡＴＶなどの多値変復調方式では等化器（イコライザ）が広く用いられている。等化器の構成としては様々な手段があるが、一般的にはトランスバーサル形等化器を使用することが多い。トランスバーサル形等化器はＦＩＲフィルタのタップ係数を自動的に求め、適応等化するものである。
【０００９】
移動無線では実用化は今だなされていないが、例えば特開平７−３０５１９号公報等で提案されている。図１は、従来のＣＤＭＡ受信装置の構成例を示す。これは、端末からの１波を受信する場合をモデル化したものである。受信部（ＲＸ）１１と受信側の逆拡散機能を有する復調部１３の間に等化器（ＥＱＬ）１２を配置している。これにより伝送路などの歪み成分を除去することが可能となる。また、図２に示す構成として、等化器１４を復調部１３の後段に配置することも可能である。
【００１０】
ここで、図３は、復調部の構成例を示す。復調部１３は、タイミング調整部１５と、逆拡散部１６とからなる。また、図４は、トランスバーサル型等化器の等化部の構成例を示す。同図中、等化部は、信号を供給される縦続接続された単位時間遅延素子２０１〜２０８と、各単位時間遅延素子の入出力信号にタップ係数Ｃ−４〜Ｃ＋４を乗算する乗算器２１１〜２１９と、各乗算器出力を加算する加算器２２から構成されている。トランスバーサル型等化器はＦＩＲフィルタやＩＩＲフィルタの係数を自動的に算出し、伝送路の歪みや干渉を除去する。図４では９タップの例を示したが、タップ長はシステム的な要素で決定する。
【００１１】
また、タップ係数Ｃ−４〜Ｃ＋４は、一般的に信号の振幅情報と誤差情報を各タップの時間に合わせて相関結果から算出する。図５に、トランスバーサル型等化器のタップ係数演算部の構成例を示す。同図中、タップ係数演算部は、振幅情報を供給される縦続接続された単位時間遅延素子２４１〜２４８と、誤差情報を供給される縦続接続された単位時間遅延素子２５１〜２５４と、各単位時間遅延素子２４１〜２４８の入出力する振幅情報と単位時間遅延素子２５４の出力する誤差情報との相関演算を行う相関器２６１〜２６９から構成されている。なお、等化器１２，１４それぞれは図４の等化部と図５のタップ係数演算部とから構成されている。
【００１２】
ここでは、説明のため一次元の等化器を示しているが、４ＰＳＫ以上であるか、直交振幅変調のＩ，Ｑチャンネルの２次元で信号を取り扱う場合は、等化器を２次元構成とするのが一般的である。
【００１３】
図６は、図１のＣＤＭＡ受信装置に制御系を記入した構成例を示し、図７は、図２のＣＤＭＡ受信装置に制御系を記入した構成例を示す。図６，図７において、振幅情報を復調部１３の前段からと後段からの２系統記入しているのは、制御法には複数の手法があり、振幅情報の取り出し位置が複数考えられるためである。
【００１４】
【発明が解決しようとする課題】
第１の点として、図６の構成で、振幅情報を前段からとる場合、等化器１２の位置は逆拡散を行う復調部１３より前であり、等化器１２で等化される信号は拡散された信号であるのに対し、振幅情報は拡散された信号に基づくものであるものの、誤差情報は逆拡散された信号に基づくものである。このため、等化される信号及び振幅情報と、誤差情報とは逆拡散の前後で次元が異なり、図５の係数演算部で正しい相関演算を行うことは不可能であるという問題があった。
【００１５】
また、第２の点として、図６の構成で、振幅情報を復調部１３の後ろから取る場合であっても、等化器１２で等化される信号が拡散された信号であるのに対し、振幅情報と誤差情報は逆拡散された信号を基にしたものである。このため、等化される信号と、振幅情報及び誤差情報とは逆拡散の前後で次元が異なり、入力信号を正しく等化することができないという問題があった。
【００１６】
また、第３の点として、図７に示すように復調部１３によって逆拡散された信号を等化器１４にて等化する場合には、振幅情報と誤差情報は逆拡散後のものになってしまう。等化器１４が等化する信号は無線空間を伝送する信号、即ち拡散された信号である。従って、等化器１４の制御信号である振幅情報や誤差情報も拡散された信号に基づくものでなければ不正確な等化になってしまう。
【００１７】
前述の従来の技術では、等化器を例にとって説明したが、参考文献１：電子情報通信学会技術研究報告［無線通信システム］ＲＳＣ２０００−１３０“Ｗ−ＣＤＭＡ上りリンクにおけるパイロットおよび判定帰還データシンボルを用いるチャネル推定を行うパラレル型コヒーレントマルチステージ干渉キャンセラの実験特性”、参考文献２：ＩＥＥＥ　Ｇｌｏｂｅｃｏｍ’９３．１１．２９〜１２．２ｐ．１６７７〜１６８２“Ｄｅｃｉｓｉｏｎ　Ｆｅｅｂｂａｃｋ　Ｍｕｌｔｉｓｔａｇｅ　Ｒｅｃｅｉｖｅｅｒｓ　ｆｏｒ　Ａｓｙｎｃｈｒｏｎｏｕｓ　ＣＤＭＡ　Ｓｙｓｔｅｍｓ”に記載の如く、逆拡散の前もしくは後側に、フィードバック情報を使用する判定帰還型干渉キャンセラ等の干渉補償器が設けられている場合、この干渉補償器を制御する制御信号についても、等化器と同様の問題が生じる。また、フィードバック信号により制御される信号処理は同様の問題を生じる。
【００１８】
本発明は、上記の点に鑑みなされたものであり、等化あるいは干渉補償等の信号処理のための制御信号である振幅情報，誤差情報を正しい次元にして正確な等化あるいは干渉補償を行うことができるＣＤＭＡ受信装置及びその方法を提供することを目的とする。
【００１９】
【課題を解決するための手段】
請求項１に記載の発明は、拡散された信号を受信し、等化処理と逆拡散処理を行うＣＤＭＡ受信装置であって、前記等化処理の制御信号を、拡散された信号に基づいて求められた制御信号相当のものとする制御信号調整手段、を有することにより、等化のための制御信号である振幅情報，誤差情報を正しい次元にして正確な等化を行うことができる。
【００２０】
請求項２に記載の発明は、拡散された信号を受信し、干渉補償処理と逆拡散処理を行うＣＤＭＡ受信装置であって、前記干渉補償処理の制御信号を、拡散された信号に基づいて求められた制御信号相当のものとする制御信号調整手段、を有することにより、干渉補償のための制御信号である振幅情報，誤差情報を正しい次元にして正確な干渉補償を行うことができる。
【００２１】
請求項３に記載の発明は、拡散された信号を受信し、逆拡散処理を行った後、等化処理を行うと共に、等化処理の制御信号として等化処理の出力の振幅情報、誤差情報を使用するＣＤＭＡ受信装置であって、前記振幅情報と前記誤差情報をそれぞれ拡散する拡散手段、を有することにより、等化のための制御信号である振幅情報，誤差情報を正しい次元にして正確な等化を行うことができる。
【００２２】
請求項４に記載の発明は、拡散された信号を受信し、逆拡散処理を行った後、干渉補償処理を行うと共に、干渉補償処理の制御信号として干渉補償処理の出力の振幅情報、誤差情報を使用するＣＤＭＡ受信装置であって、前記振幅情報と前記誤差情報をそれぞれ拡散する拡散手段、を有することにより、干渉補償のための制御信号である振幅情報，誤差情報を正しい次元にして正確な干渉補償を行うことができる。
【００２３】
請求項５に記載の発明は、拡散された信号を受信し、等化処理を行った後、逆拡散処理を行うと共に、等化処理の制御信号として逆拡散処理の出力の振幅情報、誤差情報を使用するＣＤＭＡ受信装置であって、前記振幅情報と前記誤差情報をそれぞれ拡散する拡散手段、を有することにより、等化のための制御信号である振幅情報，誤差情報を正しい次元にして正確な等化を行うことができる。
【００２４】
請求項６に記載の発明は、拡散された信号を受信し、干渉補償処理を行った後、逆拡散処理を行うと共に、干渉補償処理の制御信号として逆拡散処理の出力の振幅情報、誤差情報を使用するＣＤＭＡ受信装置であって、前記振幅情報と前記誤差情報をそれぞれ拡散する拡散手段、を有することにより、干渉補償のための制御信号である振幅情報，誤差情報を正しい次元にして正確な干渉補償を行うことができる。
【００２５】
請求項７に記載の発明は、拡散された信号を受信し、等化処理を行った後、逆拡散処理を行うと共に、等化処理の制御信号として等化処理の入力の振幅情報、逆拡散処理の出力の誤差情報を使用するＣＤＭＡ受信装置であって、前記誤差情報を拡散する拡散手段、を有することにより、等化のための制御信号である振幅情報，誤差情報を正しい次元にして正確な等化を行うことができる。
【００２６】
請求項８に記載の発明は、拡散された信号を受信し、干渉補償処理を行った後、逆拡散処理を行うと共に、干渉補償処理の制御信号として干渉補償処理の入力の振幅情報、逆拡散処理の出力の誤差情報を使用するＣＤＭＡ受信装置であって、前記誤差情報を拡散する拡散手段、を有することにより、干渉補償のための制御信号である振幅情報，誤差情報を正しい次元にして正確な干渉補償を行うことができる。
【００２７】
請求項９に記載の発明は、拡散された信号を受信し、信号処理と逆拡散処理を行うＣＤＭＡ受信装置であって、前記信号処理の制御信号を、拡散された信号に基づいて求められた制御信号相当のものとする制御信号調整手段、を有することにより、信号処理のための制御信号である振幅情報，誤差情報を正しい次元にして正確な信号処理を行うことができる。
【００２８】
請求項１０に記載の発明は、拡散された信号を受信し、信号処理と逆拡散処理を行うＣＤＭＡ受信方法であって、前記信号処理の制御信号を、拡散された信号に基づいて求められた制御信号相当のものとする調整を行うことにより、信号処理のための制御信号である振幅情報，誤差情報を正しい次元にして正確な信号処理を行うことができる。
【００２９】
【発明の実施の形態】
本発明では、等化を行う信号である入力信号の次元と、等化制御のための信号である振幅情報，誤差情報，タップ係数それぞれの次元とを合わせることで正しい等化を行うことができるようにする。
【００３０】
図８は、本発明の第１原理のブロック図を示す。ここ図では、等化器３０の後段に復調部３１がある場合である。このような場合に、振幅情報や誤差情報もしくはタップ係数などを復調後の次元から利用するときは、これらを再拡散部３２に供給し、復調部３１から供給される拡散符号を用いて再拡散を行って等化器３０に供給する。なお、再拡散に際しては時間を合わせて行う。これによって、復調後の次元から取り出した振幅情報や誤差情報もしくはタップ係数の次元を等化器の入力信号と一致させることができる。
【００３１】
図９は、本発明の第２原理のブロック図を示す。ここでは、復調部３１の後段に等化器３３がある場合を示す。このような場合に、振幅情報を復調前の次元から利用するときは、振幅情報を逆拡散部３４に供給し、復調部３１から供給される拡散符号を用いて逆拡散を行って等化器３３に供給する。なお、逆拡散に際しては時間を合わせて行う。これによって、復調前の次元から取り出した振幅情報を誤差情報や等化器３３の入力信号の次元と一致させることができる。
【００３２】
図１０は、第１原理を適用したＣＤＭＡ受信装置の第１実施例のブロック図を示す。同図中、図８と同一部分には同一符号を付す。図１０において、受信部２９で受信されたＤＳ−ＣＤＭＡ通信の受信信号は等化器３０を経て復調部３１に供給され、ここで、タイミング調整及び逆拡散されて復調される。
【００３３】
また、受信信号の振幅情報が等化器３０に供給される。復調信号の誤差情報（復調信号の値と適正値との誤差）は再拡散部３２に供給され、復調部３１から供給される拡散符号を用いて再拡散されて等化器３０に供給される。等化器３０は同一次元の振幅情報と誤差情報からタップ係数を演算して、このタップ係数を用いて受信信号を等化して復調部３１に供給する。
【００３４】
また、復調後の振幅情報を用いる場合には、図中破線で示すように、復調後の振幅情報は再拡散部３５に供給され、復調部３１から供給される拡散符号を用いて再拡散されて等化器３０に供給される。そして、等化器３０では再拡散部３５，３２から供給される同一次元の振幅情報と誤差情報からタップ係数を演算して、このタップ係数を用いて受信信号を等化して復調部３１に供給する。
【００３５】
図１１は、第１及び第２原理を適用したＣＤＭＡ受信装置の第２実施例のブロック図を示す。同図中、図９または図１０と同一部分には同一符号を付す。図１１において、受信部２９で受信されたＤＳ−ＣＤＭＡ通信の受信信号は復調部３１に供給され、ここで、タイミング調整及び逆拡散されて復調される。復調信号は等化器３３で等化されて出力される。
【００３６】
また、復調部３１出力の振幅情報が再拡散部３６に供給され、復調部３１から供給される拡散符号を用いて再拡散されて等化器３３に供給される。等化器３３の出力の誤差情報は再拡散部３７に供給され、復調部３１から供給される拡散符号を用いて再拡散されて等化器３３に供給される。等化器３３は同一次元の振幅情報と誤差情報からタップ係数を演算して、このタップ係数を用いて受信信号を等化する。
【００３７】
また、等化器３３の出力の振幅情報を用いる場合には、図中破線で示すように、等化器３３の出力の振幅情報は再拡散部３８に供給され、復調部３１から供給される拡散符号を用いて再拡散されて等化器３３に供給される。そして、等化器３３では再拡散部３６，３８から供給される同一次元の振幅情報と誤差情報からタップ係数を演算して、このタップ係数を用いて受信信号を等化する。
【００３８】
タップ係数演算のための誤差情報および振幅情報については逆拡散後の次元のままでは係数演算時に時間をずらした時に誤差を生じるため、再拡散を行い逆拡散の影響を受けないようにする。このようにして演算したタップ係数は逆拡散前の次元で演算できるため、これを逆拡散後の次元の等化器へ対応させるためにはタップ係数を逆拡散する。
【００３９】
これを取り入れた等化器３３の構成例を図１２に示す。等化器３３は図１２（Ａ）に示す等価部３３Ａと、図１２（Ｂ）に示すタップ係数演算部３３Ｂとから構成されている。等価部３３Ａについては、図５の等価部と同一構成であるため、その説明を省略する。また、タップ係数演算部３３Ｂ内の係数演算部４０は図６のタップ係数演算部と同一構成であり、その説明を省略する。
【００４０】
図１２（Ｂ）において、復調部３１から供給される拡散符号は、縦続接続された単位時間遅延素子４１１〜４１８とで順次遅延され、各単位時間遅延素子の入出力信号は乗算器４２１〜４２９に供給される。乗算器４２１〜４２９には係数演算部４０の出力するタップ係数が供給されており、このタップ係数が拡散符号で拡散され、図１２（Ａ）の乗算器２１１〜２１９に供給するタップ係数Ｃ−４〜Ｃ＋４が得られる。
【００４１】
なお、図１２に示す構成例はタップ係数に対して逆拡散処理を行っているが、入力信号とタップ係数を乗算後に逆拡散するなどしても同様の効果があるので、演算結果が同じ場合には構成順序を変えても良い。
【００４２】
ここまでの説明では、説明の簡略化のために相手無線器からの到来波が１波として説明した。しかし、実際の移動体通信では複数の到来波を受信することが一般的であり、受信アンテナについても複数存在する場合が多い。この場合、復調器を複数設け、複数の到来波それぞれを復調した復調信号を合成するレイク受信を行う。
【００４３】
図１３は、レイク受信を行うＣＤＭＡ受信装置の第３実施例のブロック図を示す。同図中、複数のアンテナ５０ａ〜５０ｃで受けた到来波は受信部５１ａ〜５１ｃそれぞれで受信される。受信部５１ａ〜５１ｃそれぞれで受信されたＤＳ−ＣＤＭＡ通信の受信信号は等化器５２ａ〜５２ｃを経て復調部５３ａ〜５３ｃに供給され、ここで、タイミング調整及び逆拡散されて復調され、更に遅延時間を揃えられる。
【００４４】
また、各受信信号の振幅情報が等化器５２ａ〜５２ｃに供給される。各復調信号の誤差情報（復調信号の値と適正値との誤差）は再拡散部５４ａ〜５４ｃに供給され、復調部５３ａ〜５３ｃから供給される拡散符号を用いて再拡散されて等化器５２ａ〜５２ｃに供給される。
【００４５】
各等化器５２ａ〜５２ｃは同一次元の振幅情報と誤差情報からタップ係数を演算して、このタップ係数を用いて受信信号を等化して復調部５３ａ〜５３ｃに供給する。復調部５３ａ〜５３ｃそれぞれの出力する遅延時間の揃えられた復調信号は加算部５５，５６で合成された後、出力される。
【００４６】
図１４は、レイク受信を行うＣＤＭＡ受信装置の第４実施例のブロック図を示す。同図中、図１３と同一部分には同一符号を付す。図１４において、複数のアンテナ５０ａ〜５０ｃで受けた到来波は受信部５１ａ〜５１ｃそれぞれで受信される。このうち、アンテナ５０ａでは遅延時間の異なる２つのパスが到来するものとする。
【００４７】
受信部５１ａ〜５１ｃそれぞれで受信されたＤＳ−ＣＤＭＡ通信の受信信号は等化器５２ａ〜５２ｃを経て、復調部５３ａ１，５３ａ２，５３ｂ，５３ｃに供給される。なお、復調部５３ａ１，５３ａ２には等化器５２ａの出力する２つのパスの受信信号が各別に供給される。復調部５３ａ１，５３ａ２，５３ｂ，５３ｃそれぞれでは、受信信号のタイミング調整及び逆拡散を行って復調し、更に遅延時間を揃えて出力する。
【００４８】
また、各受信信号の振幅情報が等化器５２ａ〜５２ｃに供給される。復調部５３ａ１，５３ａ２それぞれの復調信号の誤差情報は合成部５７で合成される。この合成手法は単純加算や誤差の少ない方の選択などであり、合成された誤差情報は再拡散部５４ａに供給される。また、復調部５３ｂ，５３ｃの復調信号の誤差情報は再拡散部５４ｂ，５４ｃに供給される。再拡散部５４ａ〜５４ｃは、復調部５３ａ１，５３ｂ，５３ｃから供給される拡散符号を用いて各誤差情報を再拡散し等化器５２ａ〜５２ｃに供給する。各等化器５２ａ〜５２ｃは同一次元の振幅情報と誤差情報からタップ係数を演算して、このタップ係数を用いて受信信号を等化して復調部５３ａ１，５３ａ２，５３ｂ，５３ｃに供給する。
【００４９】
復調部５３ａ１，５３ａ２の出力する遅延時間の揃えられた復調信号は加算部５８で加算されて加算部５５に供給され、復調部５３ｂ，５３ｃそれぞれの出力する遅延時間の揃えられた復調信号と加算部５５，５６で合成された後、出力される。この実施例では、２つのパスに同時に働く歪みを等化することが可能となる。
【００５０】
図１５は、レイク受信を行うＣＤＭＡ受信装置の第５実施例のブロック図を示す。同図中、図１４と同一部分には同一符号を付す。図１５において、複数のアンテナ５０ａ〜５０ｃで受けた到来波は受信部５１ａ〜５１ｃそれぞれで受信される。このうち、アンテナ５０ａでは遅延時間の異なる２つのパスが到来するものとする。
【００５１】
受信部５１ａで受信されたＤＳ−ＣＤＭＡ通信の２つのパスの受信信号は等化器５２ａ１，５２ａ２を経て、復調部５３ａ１，５３ａ２に供給される。受信部５１ｂ，５１ｃそれぞれで受信されたＤＳ−ＣＤＭＡ通信の受信信号は等化器５２ｂ，５２ｃを経て、復調部５３ｂ，５３ｃに供給される。復調部５３ａ１，５３ａ２，５３ｂ，５３ｃそれぞれでは、受信信号のタイミング調整及び逆拡散を行って復調し、更に遅延時間を揃えて出力する。
【００５２】
また、各受信信号の振幅情報が等化器５２ａ〜５２ｃに供給される。復調部５３ａ１，５３ａ２それぞれの復調信号の誤差情報は再拡散部５４ａ１，５４ａ２に供給される。また、復調部５３ｂ，５３ｃの復調信号の誤差情報は再拡散部５４ｂ，５４ｃに供給される。再拡散部５４ａ１，５４ａ２，５４ｂ，５４ｃは、復調部５３ａ１，５３ａ２，５３ｂ，５３ｃから供給される拡散符号を用いて各誤差情報を再拡散し等化器５２ａ１，５２ａ２，５２ｂ，５２ｃに供給する。各等化器５２ａ１，５２ａ２，５２ｂ，５２ｃは同一次元の振幅情報と誤差情報からタップ係数を演算して、このタップ係数を用いて受信信号を等化して復調部５３ａ１，５３ａ２，５３ｂ，５３ｃに供給する。
【００５３】
復調部５３ａ１，５３ａ２の出力する遅延時間の揃えられた復調信号は加算部５８で加算されて加算部５５に供給され、復調部５３ｂ，５３ｃそれぞれの出力する遅延時間の揃えられた復調信号と加算部５５，５６で合成された後、出力される。この実施例では、アンテナ毎、かつパス毎に等化を行うため、２つのパスに同時に働く歪みを等化するだけでなく、伝搬路上の歪みの等化も可能となる。
【００５４】
なお、図１３、図１４、図１５それぞれの実施例は等化ののち復調を行う構成であるが、図１１に示すように復調ののち等化を行う構成としても良く、上記実施例に限定されない。
【００５５】
また、上記実施例の図面としては等化に絞って説明したが、干渉補償についても制御信号の次元の問題を同様の構成で解決できる。
【００５６】
なお、再拡散部３２，３５〜３８が請求項記載の制御信号調整手段，拡散手段に対応する。また、信号処理とは等化処理や干渉補償処理のように、自身の出力側からの制御信号によって制御される信号処理である。
【００５７】
（付記１）　拡散された信号を受信し、等化処理と逆拡散処理を行うＣＤＭＡ受信装置であって、
前記等化処理の制御信号を、拡散された信号に基づいて求められた制御信号相当のものとする制御信号調整手段、
を有することを特徴とするＣＤＭＡ受信装置。
【００５８】
（付記２）　拡散された信号を受信し、干渉補償処理と逆拡散処理を行うＣＤＭＡ受信装置であって、
前記干渉補償処理の制御信号を、拡散された信号に基づいて求められた制御信号相当のものとする制御信号調整手段、
を有することを特徴とするＣＤＭＡ受信装置。
【００５９】
（付記３）　拡散された信号を受信し、逆拡散処理を行った後、等化処理を行うと共に、等化処理の制御信号として等化処理の出力の振幅情報、誤差情報を使用するＣＤＭＡ受信装置であって、
前記振幅情報と前記誤差情報をそれぞれ拡散する拡散手段、
を有することを特徴とするＣＤＭＡ受信装置。
【００６０】
（付記４）　拡散された信号を受信し、逆拡散処理を行った後、干渉補償処理を行うと共に、干渉補償処理の制御信号として干渉補償処理の出力の振幅情報、誤差情報を使用するＣＤＭＡ受信装置であって、
前記振幅情報と前記誤差情報をそれぞれ拡散する拡散手段、
を有することを特徴とするＣＤＭＡ受信装置。
【００６１】
（付記５）　拡散された信号を受信し、等化処理を行った後、逆拡散処理を行うと共に、等化処理の制御信号として逆拡散処理の出力の振幅情報、誤差情報を使用するＣＤＭＡ受信装置であって、
前記振幅情報と前記誤差情報をそれぞれ拡散する拡散手段、
を有することを特徴とするＣＤＭＡ受信装置。
【００６２】
（付記６）　拡散された信号を受信し、干渉補償処理を行った後、逆拡散処理を行うと共に、干渉補償処理の制御信号として逆拡散処理の出力の振幅情報、誤差情報を使用するＣＤＭＡ受信装置であって、
前記振幅情報と前記誤差情報をそれぞれ拡散する拡散手段、
を有することを特徴とするＣＤＭＡ受信装置。
【００６３】
（付記７）　拡散された信号を受信し、等化処理を行った後、逆拡散処理を行うと共に、等化処理の制御信号として等化処理の入力の振幅情報、逆拡散処理の出力の誤差情報を使用するＣＤＭＡ受信装置であって、
前記誤差情報を拡散する拡散手段、
を有することを特徴とするＣＤＭＡ受信装置。
【００６４】
（付記８）　拡散された信号を受信し、干渉補償処理を行った後、逆拡散処理を行うと共に、干渉補償処理の制御信号として干渉補償処理の入力の振幅情報、逆拡散処理の出力の誤差情報を使用するＣＤＭＡ受信装置であって、
前記誤差情報を拡散する拡散手段、
を有することを特徴とするＣＤＭＡ受信装置。
【００６５】
（付記９）　拡散された信号を受信し、信号処理と逆拡散処理を行うＣＤＭＡ受信装置であって、
前記信号処理の制御信号を、拡散された信号に基づいて求められた制御信号相当のものとする制御信号調整手段、
を有することを特徴とするＣＤＭＡ受信装置。
【００６６】
（付記１０）　拡散された信号を受信し、信号処理と逆拡散処理を行うＣＤＭＡ受信方法であって、
前記信号処理の制御信号を、拡散された信号に基づいて求められた制御信号相当のものとする調整を行うこと
を特徴とするＣＤＭＡ受信方法。
【００６７】
（付記１１）　拡散された信号を受信し、逆拡散処理を行った後、等化処理を行うと共に、等化処理の制御信号として等化処理の入力の振幅情報、等化処理の出力の誤差情報を使用するＣＤＭＡ受信装置であって、
前記振幅情報と前記誤差情報をそれぞれ拡散する拡散手段、
を有することを特徴とするＣＤＭＡ受信装置。
【００６８】
（付記１２）　拡散された信号を受信し、自身の出力側からの制御信号によって制御される信号処理と逆拡散処理を行うＣＤＭＡ受信装置であって、
前記信号処理の制御信号を、拡散された信号に基づいて求められた制御信号相当のものとする制御信号調整手段、
を有することを特徴とするＣＤＭＡ受信装置。
【００６９】
【発明の効果】
上述の如く、請求項１，３，５，７に記載の発明によれば、等化のための制御信号である振幅情報，誤差情報を正しい次元にして正確な等化を行うことができる。
【００７０】
また、請求項２，４，６，８に記載の発明によれば、干渉補償のための制御信号である振幅情報，誤差情報を正しい次元にして正確な干渉補償を行うことができる。
【００７１】
また、請求項９，１０に記載の発明によれば、信号処理のための制御信号である振幅情報，誤差情報を正しい次元にして正確な信号処理を行うことができる。
【図面の簡単な説明】
【図１】従来のＣＤＭＡ受信装置の構成例を示す図である。
【図２】従来のＣＤＭＡ受信装置の構成例を示す図である。
【図３】復調部の構成例を示す図である。
【図４】トランスバーサル型等化器の等化部の構成例を示す図である。
【図５】トランスバーサル型等化器のタップ係数演算部の構成例を示す図である。
【図６】図１のＣＤＭＡ受信装置に制御系を記入した構成例を示す図である。
【図７】図２のＣＤＭＡ受信装置に制御系を記入した構成例を示す図である。
【図８】本発明の第１原理のブロック図である。
【図９】本発明の第２原理のブロック図である。
【図１０】第１原理を適用したＣＤＭＡ受信装置の第１実施例のブロック図である。
【図１１】第１及び第２原理を適用したＣＤＭＡ受信装置の第２実施例のブロック図である。
【図１２】等化器の構成例を示す図である。
【図１３】レイク受信を行うＣＤＭＡ受信装置の第３実施例のブロック図である。
【図１４】レイク受信を行うＣＤＭＡ受信装置の第４実施例のブロック図である。
【図１５】レイク受信を行うＣＤＭＡ受信装置の第５実施例のブロック図である。
【符号の説明】
２０１〜２０８，２４１〜２４８，４１１〜４１８　単位時間遅延素子
２１１〜２１９，４２１〜４２９　乗算器
２２　加算器
２６１〜２６９　相関器
２９　受信部
３０，３３　等化器
３１　復調部
３２，３５〜３８　再拡散部
３４　逆拡散部
３３Ａ　等価部
３３Ｂ　タップ係数演算部
４０　係数演算部
【図１】
2004040305.tif 000003
【図２】
2004040305.tif 000004
【図３】
2004040305.tif 000005
【図４】
2004040305.tif 000006
【図５】
2004040305.tif 000007
【図６】
2004040305.tif 000008
【図７】
2004040305.tif 000009
【図８】
2004040305.tif 000010
【図９】
2004040305.tif 000011
【図１０】
2004040305.tif 000012
【図１１】
2004040305.tif 000013
【図１２】
2004040305.tif 000014
【図１３】
2004040305.tif 000015
【図１４】
2004040305.tif 000016
【図１５】
2004040305.tif 000017